(57)【要約】  本体部の上部からの臭気漏れを抑制することのできるトイレを提供する。トイレ１は、尿が排泄される箱状の本体部１０、及び遮蔽部材２２を備えている。本体部１０は、底面部１２及び側面部１４を有している。遮蔽部材２２は、側面部１４の内面から本体部１０の内側に張り出すように設けられ、尿からの臭気の上昇を遮断する。
2017149645.tif 000002
【特許請求の範囲】
【請求項１】
第１の底面部及び第１の側面部を有し、尿が排泄される箱状の本体部と、
前記第１の側面部の内面から前記本体部の内側に張り出すように設けられ、前記尿からの臭気の上昇を遮断する第１の遮蔽部材と、
を備えることを特徴とするトイレ。
【請求項２】
請求項１に記載のトイレにおいて、
前記第１の遮蔽部材は、前記本体部の内側に向かって下方に傾斜しているトイレ。
【請求項３】
請求項１又は２に記載のトイレにおいて、
前記第１の遮蔽部材の一部は、下方に屈曲しているトイレ。
【請求項４】
請求項１乃至３の何れかに記載のトイレにおいて、
前記第１の遮蔽部材は、平面視で、前記第１の側面部の前記内面の全体にわたって設けられているトイレ。
【請求項５】
請求項１乃至４の何れかに記載のトイレにおいて、
前記第１の遮蔽部材の平面視での張出長さは、当該第１の遮蔽部材の根元を含む平面内における前記本体部の最小内寸の４分の１以下であるトイレ。
【請求項６】
請求項１乃至５の何れかに記載のトイレにおいて、
前記第１の側面部の前記内面から前記本体部の内側に張り出すように設けられ、前記尿からの臭気の上昇を遮断する第２の遮蔽部材を備え、
前記第２の遮蔽部材は、前記第１の遮蔽部材と前記第１の底面部との間に位置するトイレ。
【請求項７】
請求項６に記載のトイレにおいて、
前記第２の遮蔽部材は、前記本体部の内側に向かって下方に傾斜しているトイレ。
【請求項８】
請求項６又は７に記載のトイレにおいて、
前記第２の遮蔽部材の一部は、下方に屈曲しているトイレ。
【請求項９】
請求項６乃至８の何れかに記載のトイレにおいて、
前記第２の遮蔽部材は、平面視で、前記第１の側面部の前記内面の全体にわたって設けられているトイレ。
【請求項１０】
請求項６乃至９の何れかに記載のトイレにおいて、
前記第２の遮蔽部材の平面視での張出長さは、当該第２の遮蔽部材の根元を含む平面内における前記本体部の最小内寸の４分の１以下であるトイレ。
【請求項１１】
請求項６乃至１０の何れかに記載のトイレにおいて、
前記第１の遮蔽部材の少なくとも一部と前記第２の遮蔽部材の少なくとも一部とは、平面視で重なり合っているトイレ。
【請求項１２】
請求項６乃至１１の何れかに記載のトイレにおいて、
前記第１の遮蔽部材の平面視での張出長さは、前記第２の遮蔽部材の平面視での張出長さよりも大きいトイレ。
【請求項１３】
請求項１乃至１２の何れかに記載のトイレにおいて、
前記第１の側面部には、前記尿を通過させる第１の開口部が設けられており、
前記第１の底面部は、前記本体部に排泄された前記尿が前記第１の開口部まで流れるように傾斜しているトイレ。
【請求項１４】
請求項１３に記載のトイレにおいて、
前記第１の開口部の底面は、前記本体部の外側に向かって下方に傾斜しているトイレ。
【請求項１５】
請求項１３又は１４の何れかに記載のトイレにおいて、
前記本体部内には、前記尿を透過させる複数の粒状体が敷設されるトイレ。
【請求項１６】
請求項１５に記載のトイレにおいて、
前記粒状体は、前記第１の底面部上に直接敷設されるトイレ。
【請求項１７】
請求項１３乃至１６の何れかに記載のトイレにおいて、
前記第１の開口部を通過した前記尿を溜める尿溜容器を備えるトイレ。
【請求項１８】
請求項１７に記載のトイレにおいて、
前記尿溜容器は、前記第１の開口部が設けられた前記第１の側面部に対して略隙間なく接した状態で設置されるトイレ。
【請求項１９】
請求項１７又は１８に記載のトイレにおいて、
前記尿溜容器は、第２の底面部及び第２の側面部を有する箱状をしているトイレ。
【請求項２０】
請求項１９に記載のトイレにおいて、
前記尿溜容器は、前記第２の底面部及び前記第２の側面部で囲まれた空間を上方から覆う蓋部を有するトイレ。
【請求項２１】
請求項１９又は２０に記載のトイレにおいて、
前記第２の側面部には、前記第１の開口部から排出された前記尿を前記尿溜容器内に流入させる第２の開口部が設けられているトイレ。
【請求項２２】
請求項２１に記載のトイレにおいて、
前記第２の開口部の底面は、前記尿溜容器の内側に向かって下方に傾斜しているトイレ。
【発明の詳細な説明】
【技術分野】
【０００１】
本発明は、動物又は人用のトイレに関する。
【背景技術】
【０００２】
従来のトイレとしては、例えば特許文献１に記載されたものがある。同文献に記載のトイレは、動物用のトイレであって、箱状の本体部、及び本体部内に配された仕切部材（簀子）を備えている。本体部の内部空間は、仕切部材により上下に区画されている。仕切部材上には、低吸水性を有する粒状体が多数敷設されている。また、仕切部材の下方には、吸水性シートが配設されている。かかる構成のトイレにおいて、動物の尿は、粒状体どうしの間、及び仕切部材を通過した後、吸水性シートに吸収される。
【先行技術文献】
【特許文献】
【０００３】
【特許文献１】特開２００３−１８０１８２号公報
【発明の概要】
【発明が解決しようとする課題】
【０００４】
特許文献１に記載のトイレにおいては、吸水性シートに吸収された尿が本体部内に残留する。その尿から悪臭が発生すると、その臭気が、本体部内を上昇し、本体部の上部からトイレの外に漏れてしまうことがある。このことは、ユーザ（動物の飼主等）に不快感を与える要因となる。【０００５】
本発明は、上記課題に鑑みてなされたものであり、本体部の上部からの臭気漏れを抑制することのできるトイレを提供することを目的とする。
【課題を解決するための手段】
【０００６】
本発明によるトイレは、第１の底面部及び第１の側面部を有し、尿が排泄される箱状の本体部と、上記第１の側面部の内面から上記本体部の内側に張り出すように設けられ、上記尿からの臭気の上昇を遮断する遮蔽部材と、を備えることを特徴とする。【０００７】
このトイレにおいては、本体部内に、尿からの臭気の上昇を遮断する遮蔽部材が設けられている。これにより、本体部内で尿の臭気の上昇が起こった場合であっても、それを遮断し、本体部の上部からの臭気漏れを抑制することができる。
【発明の効果】
【０００８】
本発明によれば、本体部の上部からの臭気漏れを抑制することのできるトイレが実現される。
【図面の簡単な説明】
【０００９】
【図１】本発明によるトイレの第１実施形態を示す端面図である。
【図２】遮蔽部材２２の構造を説明するための図である。
【図３】遮蔽部材２４の構造を説明するための図である。
【図４】使用時の本体部１０を示す端面図である。
【図５】本発明によるトイレの第２実施形態を示す斜視図である。
【図６】図５のトイレにおける本体部４０を示す平面図である。
【図７】図６のVII−VII線に沿った端面図である。
【図８】図６のVIII−VIII線に沿った端面図である。
【図９】図６のIX−IX線に沿った端面図である。
【図１０】遮蔽部材５２の構造を説明するための図である。
【図１１】遮蔽部材５４の構造を説明するための図である。
【図１２】使用時の本体部４０を示す端面図である。
【図１３】本体部４０の横に尿溜容器６０が設置された状態を示す端面図である。
【図１４】本体部４０に尿溜容器６０を着脱可能に固定するための構造の一例を説明するための図である。
【図１５】本体部４０に尿溜容器６０を着脱可能に固定するための構造の一例を説明するための図である。
【図１６】使用時の尿溜容器６０を示す端面図である。
【図１７】収容袋８０を示す正面図である。
【図１８】遮蔽部材の一変形例を説明するための図である。
【図１９】遮蔽部材の他の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明によるトイレの第１実施形態を示す端面図である。トイレ１は、動物又は人用のトイレであって、本体部１０、並びに遮蔽部材２２（第１の遮蔽部材）及び遮蔽部材２４（第２の遮蔽部材）を備えている。本体部１０は、箱状をしており、底面部１２（第１の底面部）及び側面部１４（第１の側面部）を有している。本体部１０は、尿が排泄される便器として機能する。本体部１０の材料としては、例えば、ポリプロピレン、ポリエチレン等の樹脂を用いることができる。
【００１２】
底面部１２は、平面視で略矩形状をしている。これに伴い、本体部１０には、４つの側面部１４が設けられている。本体部１０の外形は、略直方体状をしている。
【００１３】
遮蔽部材２２は、本体部１０内に排泄された尿からの臭気の上昇を遮断する。遮蔽部材２２は、板状をしており、側面部１４の内面から本体部１０の内側に張り出すように設けられている。遮蔽部材２２の根元は側面部１４の内面上に存在し、遮蔽部材２２の先端は本体部１０の内部空間中に存在する。遮蔽部材２２は、本体部１０の内側に向かって下方に傾斜している。遮蔽部材２２の上面及び下面の双方が、本体部１０の内側に向かって下方に傾斜している。また、遮蔽部材２２の一部は、下方に屈曲している。詳細には、遮蔽部材２２の先端付近の部分が鉛直方向下向きに屈曲している。なお、遮蔽部材２２に孔部は設けられていない。遮蔽部材２２の材料としては、例えば、ポリプロピレン、ポリエチレン等の樹脂を用いることができる。
【００１４】
図２は、本体部１０を示す平面図である。同図からわかるように、遮蔽部材２２は、平面視で、側面部１４の内面の全体にわたって設けられている。すなわち、遮蔽部材２２は、環状に設けられている。それゆえ、遮蔽部材２２で囲まれた部分に開口が生じるが、この開口は、後述する粒状体３２の通過を妨げないように充分な大きさを有している。遮蔽部材２２の平面視での張出長さｄ１は、遮蔽部材２２の根元を含む平面内における本体部１０の最小内寸ｄ０の８分の１以上４分の１以下であることが好ましい。ここで、本体部１０の最小内寸とは、本体部１０の中心を通る直線と側面部１４の内面との２つの交点間の距離の最小値をいう。本実施形態のように本体部１０の平面形状が矩形である場合、その最小内寸は、短辺方向の内寸に等しい。
【００１５】
図１に戻って、遮蔽部材２４は、本体部１０内に排泄された尿からの臭気の上昇を遮断する。遮蔽部材２４は、板状をしており、側面部１４の内面から本体部１０の内側に張り出すように設けられている。遮蔽部材２４の根元は側面部１４の内面上に存在し、遮蔽部材２４の先端は本体部１０の内部空間中に存在する。遮蔽部材２４は、遮蔽部材２２と底面部１２との間に位置する。すなわち、遮蔽部材２４は、遮蔽部材２２よりも低い位置（底面部１２に近い位置）に配設されている。遮蔽部材２４は、本体部１０の内側に向かって下方に傾斜している。遮蔽部材２４の上面及び下面の双方が、本体部１０の内側に向かって下方に傾斜している。また、遮蔽部材２４の一部は、下方に屈曲している。詳細には、遮蔽部材２４の先端付近の部分が鉛直方向下向きに屈曲している。なお、遮蔽部材２４に孔部は設けられていない。遮蔽部材２４の材料としては、例えば、ポリプロピレン、ポリエチレン等の樹脂を用いることができる。
【００１６】
図３は、本体部１０を示す平面図である。ただし、同図においては、遮蔽部材２２の図示が省略されている。同図からわかるように、遮蔽部材２４は、平面視で、側面部１４の内面の全体にわたって設けられている。すなわち、遮蔽部材２４は、環状に設けられている。それゆえ、遮蔽部材２４で囲まれた部分に開口が生じるが、この開口は、後述する粒状体３２の通過を妨げないように充分な大きさを有している。遮蔽部材２４の平面視での張出長さｄ２は、遮蔽部材２４の根元を含む平面内における本体部１０の最小内寸ｄ０の８分の１以上４分の１以下であることが好ましい。遮蔽部材２２の平面視での張出長さｄ１は、遮蔽部材２４の平面視での張出長さｄ２よりも大きい。遮蔽部材２２の少なくとも一部と遮蔽部材２４の少なくとも一部とは、平面視で重なり合っている。本実施形態の場合、遮蔽部材２２の一部と遮蔽部材２４の全体とが、平面視で重なり合っている。
【００１７】
図４は、使用時の本体部１０を示す端面図である。トイレ１の使用時、本体部１０内には、複数の粒状体３２が敷設される。粒状体３２は、底面部１２上に直接敷設される。粒状体３２を敷設する際、本体部１０の上部から本体部１０内に入れられた粒状体３２は、遮蔽部材２２で囲まれた部分の開口、及び遮蔽部材２４で囲まれた部分の開口を通過して、底面部１２まで落下する。このように粒状体３２は、遮蔽部材２２，２４の下方の空間内にも敷設される。粒状体３２は、尿を吸収する吸水性のトイレ用敷材である。各粒状体３２は、抗菌性を有していることが好ましい。また、各粒状体３２は、脱臭性又は消臭性を有していることが好ましい。
【００１８】
トイレ１の効果を説明する。トイレ１においては、本体部１０内に、尿からの臭気の上昇を遮断する遮蔽部材２２が設けられている。これにより、本体部１０内で尿の臭気の上昇が起こった場合であっても、それを遮断し、本体部１０の上部からの臭気漏れを抑制することができる。
【００１９】
さらに、遮蔽部材２２と底面部１２との間に遮蔽部材２４が設けられている。これにより、本体部１０内を上昇する臭気を２段階で遮断することができる。このため、本体部１０の上部からの臭気漏れを一層効果的に抑制することができる。
【００２０】
遮蔽部材２２の平面視での張出長さｄ１は、遮蔽部材２４の平面視での張出長さｄ２よりも大きい。これにより、遮蔽部材２４で捕捉しきれなかった臭気を遮蔽部材２２で捕捉しやすくなる。
【００２１】
本体部１０内に排泄された尿からの臭気は、水平方向に拡散しながら上昇する。そのため、特に側面部１４の内面に沿って、臭気の流れが生じやすい。各遮蔽部材２２，２４が側面部１４の内面から本体部１０の内側に張り出すように設けられていることは、側面部１４の内面に沿って上昇する臭気を捕捉する上で有利である。
【００２２】
臭気の遮断効果を高めるには、遮蔽部材２２の張出長さｄ１が大きい方が有利である。他方、張出長さｄ１が大きすぎると、遮蔽部材２２で囲まれた部分の開口に粒状体３２が詰まる等の弊害が生じかねない。かかる観点から、遮蔽部材２２の張出長さｄ１は、遮蔽部材２２の根元を含む平面内における本体部１０の最小内寸ｄ０の８分の１以上４分の１以下であることが好ましい。同様の観点から、遮蔽部材２４の張出長さｄ２は、遮蔽部材２４の根元を含む平面内における本体部１０の最小内寸ｄ０の８分の１以上４分の１以下であることが好ましい。
【００２３】
遮蔽部材２２は、本体部１０の内側に向かって下方に傾斜している。このため、遮蔽部材２２の下面と側面部１４の内面との間の空間に、臭気を閉じ込めることができる。これにより、臭気の遮断効果を高めることができる。また、かかる構成の場合、排泄された尿が遮蔽部材２２の上面に達した場合であっても、その尿は傾斜に沿って遮蔽部材２２の先端から流れ落ちる。このため、遮蔽部材２２の上面に尿が溜まるのを防ぐことができる。
【００２４】
遮蔽部材２２の一部は、下方に屈曲している。このため、遮蔽部材２２によって捕捉された臭気が遮蔽部材２２の外に逃げにくくなる。これにより、臭気の遮断効果を一層高めることができる。
【００２５】
遮蔽部材２２は、平面視で、側面部１４の内面の全体にわたって設けられている。これにより、側面部１４の内面に沿った臭気の上昇経路の全体を遮蔽部材２２によって塞ぐことができる。
【００２６】
遮蔽部材２４は、本体部１０の内側に向かって下方に傾斜している。このため、遮蔽部材２４の下面と側面部１４の内面との間の空間に、臭気を閉じ込めることができる。これにより、臭気の遮断効果を高めることができる。また、かかる構成の場合、排泄された尿が遮蔽部材２４の上面に達した場合であっても、その尿は傾斜に沿って遮蔽部材２４の先端から流れ落ちる。このため、遮蔽部材２４の上面に尿が溜まるのを防ぐことができる。
【００２７】
遮蔽部材２４の一部は、下方に屈曲している。このため、遮蔽部材２４によって捕捉された臭気が遮蔽部材２４の外に逃げにくくなる。これにより、臭気の遮断効果を一層高めることができる。
【００２８】
遮蔽部材２４は、平面視で、側面部１４の内面の全体にわたって設けられている。これにより、側面部１４の内面に沿った臭気の上昇経路の全体を遮蔽部材２４によって塞ぐことができる。
【００２９】
粒状体３２は、底面部１２上に直接敷設されている。このため、本体部１０においては、粒状体３２と底面部１２との間に仕切部材を設ける必要がない。これにより、本体部１０ひいてはトイレ１の構造が複雑化するのを回避することができる。
（第２実施形態）
【００３０】
図５は、本発明によるトイレの第２実施形態を示す斜視図である。トイレ２は、動物又は人用のトイレであって、本体部４０、遮蔽部材５２（第１の遮蔽部材）、遮蔽部材５４（第２の遮蔽部材）、及び尿溜容器６０を備えている。ただし、遮蔽部材５４は、同図においては見えない位置に設けられている（図１１参照）。本体部４０は、箱状をしており、底面部４２（第１の底面部）及び側面部４４（第１の側面部）を有している。側面部４４には、開口部４６（第１の開口部）が設けられている。本体部４０は、尿が排泄される便器として機能する。本体部４０の材料としては、例えば、ポリプロピレン、ポリエチレン等の樹脂を用いることができる。
【００３１】
図６は、本体部４０を示す平面図である。同図においては、遮蔽部材５２，５４の図示が省略されている。図６からわかるように、底面部４２は、平面視で略矩形状をしている。これに伴い、本体部４０には、４つの側面部４４が設けられている。本体部４０の外形は、略直方体状をしている。
【００３２】
図７、図８及び図９は、それぞれ、図６のVII−VII線、VIII−VIII線及びIX−IX線に沿った端面図である。これらの図からわかるように、底面部４２は、本体部４０に排泄された尿が開口部４６まで流れるように傾斜している。底面部４２は、開口部４６の底面に連続している。本実施形態においては、底面部４２の全体が傾斜している。底面部４２は、連続する複数の平面４２ａ，４２ｂ，４２ｃからなる。平面４２ａは、平面４２ｃに向かって下方に傾斜している。平面４２ｂも、平面４２ｃに向かって下方に傾斜している。また、平面４２ｃは、開口部４６に向かって下方に傾斜している。
【００３３】
図５に戻って、開口部４６は、４つの側面部４４のうちの１つに設けられている。開口部４６は、横長の形状をしている。開口部４６の縦の長さ（側面部４４の上下方向についての長さ）は、例えば、３ｍｍ以上１０ｍｍ以下である。開口部４６の横の長さ（開口部４６が設けられた側面部４４の左右方向についての長さ）は、例えば、３０ｍｍ以上１００ｍｍ以下である。図６に示すように、開口部４６の横の長さｗ１は、開口部４６が設けられた側面部４４の横幅（内寸）ｗ２よりも小さい。開口部４６の横の長さｗ１は、側面部４４の横幅ｗ２の３分の１以下であることが好ましい。
【００３４】
本体部４０が載置される床面を基準としたとき、開口部４６の下端の高さｈ１（図５参照）は、３０ｍｍ以上であることが好ましい。高さｈ１は、側面部４４の下端から開口部４６の下端までの距離に等しい。本実施形態において開口部４６は、側面部４４の端部に位置している。すなわち、開口部４６が設けられた側面部４４と隣り合う側面部４４の内面と同一平面上に、開口部４６の側端の一方が存在している。また、図８からわかるように、開口部４６の底面は、本体部４０の外側に向かって下方に傾斜している。換言すると、開口部４６の底面は、側面部４４の内面から外面に向かって下方に傾斜している。開口部４６は、本体部４０内に排泄された尿を本体部４０の外に排出する部分である。この開口部４６は、尿を通過させるが、後述する粒状体３４は通過させない。
【００３５】
遮蔽部材５２は、本体部４０内に排泄された尿からの臭気の上昇を遮断する。遮蔽部材５２は、板状をしており、側面部４４の内面から本体部４０の内側に張り出すように設けられている。遮蔽部材５２の根元は側面部４４の内面上に存在し、遮蔽部材５２の先端は本体部４０の内部空間中に存在する。遮蔽部材５２は、本体部４０の内側に向かって下方に傾斜している。遮蔽部材５２の上面及び下面の双方が、本体部４０の内側に向かって下方に傾斜している。また、遮蔽部材５２の一部は、下方に屈曲している。詳細には、遮蔽部材５２の先端付近の部分が鉛直方向下向きに屈曲している。なお、遮蔽部材５２に孔部は設けられていない。遮蔽部材５２の材料としては、例えば、ポリプロピレン、ポリエチレン等の樹脂を用いることができる。
【００３６】
図１０は、本体部４０を示す平面図である。同図からわかるように、遮蔽部材５２は、平面視で、側面部４４の内面の全体にわたって設けられている。すなわち、遮蔽部材５２は、環状に設けられている。それゆえ、遮蔽部材５２で囲まれた部分に開口が生じるが、この開口は、後述する粒状体３４の通過を妨げないように充分な大きさを有している。遮蔽部材５２の平面視での張出長さｄ３は、遮蔽部材５２の根元を含む平面内における本体部４０の最小内寸ｄ０の８分の１以上４分の１以下であることが好ましい。
【００３７】
遮蔽部材５４は、本体部４０内に排泄された尿からの臭気の上昇を遮断する。遮蔽部材５４は、図８からわかるように、板状をしており、側面部４４の内面から本体部４０の内側に張り出すように設けられている。遮蔽部材５４の根元は側面部４４の内面上に存在し、遮蔽部材５４の先端は本体部４０の内部空間中に存在する。遮蔽部材５４は、遮蔽部材５２と底面部４２との間に位置する。すなわち、遮蔽部材５４は、遮蔽部材５２よりも低い位置（底面部４２に近い位置）に配設されている。遮蔽部材５４は、本体部４０の内側に向かって下方に傾斜している。遮蔽部材５４の上面及び下面の双方が、本体部４０の内側に向かって下方に傾斜している。また、遮蔽部材５４の一部は、下方に屈曲している。詳細には、遮蔽部材５４の先端付近の部分が鉛直方向下向きに屈曲している。なお、遮蔽部材５４に孔部は設けられていない。遮蔽部材５４の材料としては、例えば、ポリプロピレン、ポリエチレン等の樹脂を用いることができる。
【００３８】
図１１は、本体部４０を示す平面図である。ただし、同図においては、遮蔽部材５２の図示が省略されている。同図からわかるように、遮蔽部材５４は、平面視で、側面部４４の内面の一部分（開口部４６が設けられた領域を含む部分）にのみ設けられている。遮蔽部材５４の平面視での張出長さｄ４は、遮蔽部材５４の根元を含む平面内における本体部４０の最小内寸ｄ０の８分の１以上４分の１以下であることが好ましい。遮蔽部材５２の平面視での張出長さｄ３は、遮蔽部材５４の平面視での張出長さｄ４よりも大きい。遮蔽部材５２の少なくとも一部と遮蔽部材５４の少なくとも一部とは、平面視で重なり合っている。本実施形態の場合、遮蔽部材５２の一部と遮蔽部材５４の全体とが、平面視で重なり合っている。
【００３９】
図１２は、使用時の本体部４０を示す端面図である。同図は、図８と同様の端面を示している。図１２に示すように、トイレ２の使用時、本体部４０内には、複数の粒状体３４が敷設される。粒状体３４は、底面部４２上に直接敷設される。粒状体３４を敷設する際、本体部４０の上部から本体部４０内に入れられた粒状体３４は、遮蔽部材５２で囲まれた部分の開口を通過して、底面部４２まで落下する。このように粒状体３４は、遮蔽部材５２，５４の下方の空間内にも敷設される。これらの粒状体３４は、尿を透過させる透水性のトイレ用敷材である。すなわち、各粒状体３４は、尿を全く吸収しないか、殆ど吸収しない性質を有している。各粒状体３４は、抗菌性を有していることが好ましい。また、各粒状体３４は、脱臭性又は消臭性を有していることが好ましい。粒状体３４としては、例えば、非吸水性又は低吸水性の公知のトイレ用敷材を用いることができる。
【００４０】
図５に戻って、トイレ２には、尿溜容器６０が設置される。尿溜容器６０は、開口部４６を通過した尿を溜める容器である。尿溜容器６０は、箱状をしており、底面部６２（第２の底面部）及び側面部６４（第２の側面部）を有している。底面部６２は、平面視で略矩形状をしている。これに伴い、尿溜容器６０には、４つの側面部６４が設けられている。尿溜容器６０の外形は、本体部４０の外形と同様、略直方体状をしている。ただし、尿溜容器６０の体積は、本体部４０の体積よりも小さい。また、底面部６２は、底面部４２と異なり、傾斜していない。
【００４１】
側面部６４には、開口部６６（第２の開口部）が設けられている。開口部６６は、開口部４６から排出された尿を尿溜容器６０内に流入させるように設けられている。開口部６６は、４つの側面部６４のうちの１つに設けられている。開口部６６は、開口部４６と略同一の形状及び大きさをしている。厳密には、側面部４４の外面における開口部４６の形状及び大きさと、側面部６４の外面における開口部６６の形状及び大きさとが略一致する。さらに、尿溜容器６０は、底面部６２及び側面部６４で囲まれた空間を上方から覆う蓋部６８を有している。蓋部６８は、開閉可能に設けられている。トイレ２の使用時、蓋部６８は閉じられる。蓋部６８が閉じられた状態では、尿溜容器６０内は、開口部６６を除いて密閉される。尿溜容器６０の材料としては、例えば、ポリプロピレン、ポリエチレン等の樹脂を用いることができる。
【００４２】
図１３は、本体部４０の横に尿溜容器６０が設置された状態を示す端面図である。同図に示すように、トイレ２の使用時、尿溜容器６０は、開口部４６が設けられた側面部４４に対して略隙間なく接した状態で設置される。このとき、尿溜容器６０の開口部６６は、本体部４０の開口部４６に重なる。本実施形態において開口部４６と開口部６６とは、互いに完全に重なり合う。すなわち、開口部４６の全体が開口部６６に重なるとともに、開口部６６の全体も開口部４６に重なる。尿溜容器６０は、本体部４０に対して固定されている。側面部６４の上端は、開口部４６の上端よりも高い位置にある。開口部６６の底面は、尿溜容器６０の内側に向かって下方に傾斜している。換言すると、開口部６６の底面は、側面部６４の外面から内面に向かって下方に傾斜している。また、尿溜容器６０には、把手６９が設けられている。具体的には、把手６９は、開口部６６が設けられた側面部６４と対向する側面部６４に設けられている。
【００４３】
尿溜容器６０は、本体部４０に対して着脱可能に固定されている。ここで、着脱可能とは、本体部４０及び尿溜容器６０を損傷することなく、本体部４０に対する尿溜容器６０の取付け及び取外しを容易に行えるということである。
【００４４】
かかる構成は、例えば図１４に示すように、側面部４４に突条４４ａを設けるとともに、側面部６４に溝６４ａを設けることにより実現することができる。同図は、側面部４４及び側面部６４を上から見た図である。突条４４ａは、側面部４４における側面部６４に対向する部分に設けられている。突条４４ａは、側面部４４から遠ざかるにつれて幅が広くなるテーパ状の断面形状を有しており、側面部４４の上下方向（図１４において紙面に垂直な方向）に延在している。他方、溝６４ａは、側面部６４における側面部４４に対向する部分に設けられている。溝６４ａは、側面部６４の内部に近づくにつれて幅が広くなるテーパ状の断面形状を有しており、側面部６４の上下方向に延在している。溝６４ａの断面は、突条４４ａの断面と略同一の形状及び大きさを有している。
【００４５】
本体部４０に対して尿溜容器６０を上下方向にスライドさせて、図１５に示すように突条４４ａと溝６４ａとを嵌合させることにより、本体部４０に尿溜容器６０を取り付けて固定することができる。また、本体部４０に対して尿溜容器６０を上下方向にスライドさせて、突条４４ａと溝６４ａとの嵌合を解くことにより、本体部４０から尿溜容器６０を取り外すことができる。
【００４６】
図１６は、使用時の尿溜容器６０を示す端面図である。同図に示すように、トイレ２の使用時、尿溜容器６０内には、尿を吸収する吸水材７０が配設される。吸水材７０は、例えば、植物性材料の粉砕物と吸水性ポリマーとの混合物（粉体）からなる。その場合、植物性材料としては、例えば、茶類（茶葉、茶殻等）、又はコーヒー類（コーヒー豆、インスタントコーヒー、コーヒー滓等）を用いることができる。植物性材料としては、各種植物の枝、葉（例えば笹の葉）又は花を用いてもよい。なお、吸水材７０は、吸水性ポリマーのみからなっていてもよい。また、吸水材７０としては、粒状のトイレ用敷材（例えば上記粉体を造粒したもの）、又はシート状のトイレ用敷材（吸水性シート）を用いてもよい。
【００４７】
尿溜容器６０には、収容袋８０が設けられている。収容袋８０は、吸水材７０を収容する袋であり、尿溜容器６０内に設置される。収容袋８０は、底面部６２の上面及び側面部６４の内面の略全体を覆っている。収容袋８０は、側面部６４の上端で折り返されている。この折り返された部分が側面部６４と蓋部６８とで挟まれることにより、収容袋８０が尿溜容器６０に固定されている。
【００４８】
図１７は、収容袋８０を示す正面図である。収容袋８０には、穴部８２が設けられている。穴部８２は、尿を通過させる一方で、吸水材７０は通過させない。本実施形態においては、収容袋８０の少なくとも一部分（開口部６６に重なる領域を含む部分）が網状をしており、当該部分の網目が穴部８２を構成している。図１７においては、収容袋８０の全体が網状をしている例を示している。収容袋８０の材料としては、例えば、ポリエチレン、ポリ塩化ビニル、ナイロン等を用いることができる。
【００４９】
トイレ２の効果を説明する。トイレ２においては、本体部４０内に、尿からの臭気の上昇を遮断する遮蔽部材５２が設けられている。これにより、本体部４０内で尿の臭気の上昇が起こった場合であっても、それを遮断し、本体部４０の上部からの臭気漏れを抑制することができる。
【００５０】
さらに、遮蔽部材５２と底面部４２との間に遮蔽部材５４が設けられている。これにより、本体部４０内を上昇する臭気を２段階で遮断することができる。このため、本体部４０の上部からの臭気漏れを一層効果的に抑制することができる。
【００５１】
遮蔽部材５２の平面視での張出長さｄ３は、遮蔽部材５４の平面視での張出長さｄ４よりも大きい。これにより、遮蔽部材５４で捕捉しきれなかった臭気を遮蔽部材５２で捕捉しやすくなる。
【００５２】
本体部４０内に排泄された尿からの臭気は、水平方向に拡散しながら上昇する。そのため、特に側面部４４の内面に沿って、臭気の流れが生じやすい。各遮蔽部材５２，５４が側面部４４の内面から本体部４０の内側に張り出すように設けられていることは、側面部４４の内面に沿って上昇する臭気を捕捉する上で有利である。
【００５３】
臭気の遮断効果を高めるには、遮蔽部材５２の張出長さｄ３が大きい方が有利である。他方、張出長さｄ３が大きすぎると、遮蔽部材５２で囲まれた部分の開口に粒状体３４が詰まる等の弊害が生じかねない。かかる観点から、遮蔽部材５２の張出長さｄ３は、遮蔽部材５２の根元を含む平面内における本体部４０の最小内寸ｄ０の８分の１以上４分の１以下であることが好ましい。同様の観点から、遮蔽部材５４の張出長さｄ４は、遮蔽部材５４の根元を含む平面内における本体部４０の最小内寸ｄ０の８分の１以上４分の１以下であることが好ましい。
【００５４】
遮蔽部材５２は、本体部４０の内側に向かって下方に傾斜している。このため、遮蔽部材５２の下面と側面部４４の内面との間の空間に、臭気を閉じ込めることができる。これにより、臭気の遮断効果を高めることができる。また、かかる構成の場合、排泄された尿が遮蔽部材５２の上面に達した場合であっても、その尿は傾斜に沿って遮蔽部材５２の先端から流れ落ちる。このため、遮蔽部材５２の上面に尿が溜まるのを防ぐことができる。
【００５５】
遮蔽部材５２の一部は、下方に屈曲している。このため、遮蔽部材５２によって捕捉された臭気が遮蔽部材５２の外に逃げにくくなる。これにより、臭気の遮断効果を一層高めることができる。
【００５６】
遮蔽部材５２は、平面視で、側面部４４の内面の全体にわたって設けられている。これにより、側面部４４の内面に沿った臭気の上昇経路の全体を遮蔽部材５２によって塞ぐことができる。
【００５７】
遮蔽部材５４は、本体部４０の内側に向かって下方に傾斜している。このため、遮蔽部材５４の下面と側面部４４の内面との間の空間に、臭気を閉じ込めることができる。これにより、臭気の遮断効果を高めることができる。また、かかる構成の場合、排泄された尿が遮蔽部材５４の上面に達した場合であっても、その尿は傾斜に沿って遮蔽部材５４の先端から流れ落ちる。このため、遮蔽部材５４の上面に尿が溜まるのを防ぐことができる。
【００５８】
遮蔽部材５４の一部は、下方に屈曲している。このため、遮蔽部材５４によって捕捉された臭気が遮蔽部材５４の外に逃げにくくなる。これにより、臭気の遮断効果を一層高めることができる。
【００５９】
遮蔽部材５４は、平面視で、側面部４４の内面の一部分にのみ設けられている。これにより、本実施形態のように底面部４２が傾斜している場合に、底面部４２の最高点よりも低い位置に遮蔽部材５４を配設することが可能となり、設計自由度が高まる。特に遮蔽部材５４が設けられた上記部分は、開口部４６が設けられた領域を含んでいる。このため、開口部４６の入口付近は、上方が遮蔽部材５４によって覆われている。これにより、本体部４０の外に排出された尿からの臭気が開口部４６を通じて本体部４０内に流れ込んできた場合であっても、当該臭気の上昇を効果的に遮断することができる。
【００６０】
本体部４０の側面部４４に開口部４６が設けられている。そして、本体部４０の底面部４２は、尿が開口部４６まで流れるように傾斜している。このため、本体部４０内に排泄された尿は、粒状体３４どうしの間を通過した後、底面部４２上を流れて、開口部４６に達する。開口部４６に達した尿は、開口部４６を通過して、本体部４０の外に排出される。かかる構成は、尿を本体部４０に残留させないため、本体部４０の上部からの臭気漏れを抑制する上で有利である。
【００６１】
底面部４２は、全体が傾斜している。これにより、排泄された尿が底面部４２上のどの位置に落ちても、当該尿を開口部４６まで確実に導くことができる。
【００６２】
開口部４６は、横長の形状をしている。すなわち、開口部４６は、横の長さが大きく、縦の長さが小さい。尿のような液体は、横に広がる性質を有する。それゆえ、開口部４６の横の長さを大きくすることは、多量の尿を迅速に通過させるのに適している。これにより、多量の尿が排泄された場合であっても、当該尿を開口部４６を通じてスムーズに本体部４０の外に排出することができる。他方、開口部４６の縦の長さを小さくすることは、当該開口部４６を粒状体３４が通過するのを防ぐ上で有利である。
【００６３】
開口部４６の底面は、本体部４０の外側に向かって下方に傾斜している。これにより、本体部４０内に排泄された尿を開口部４６を通じて本体部４０の外に、よりスムーズに排出することができる。
【００６４】
粒状体３４は、底面部４２上に直接敷設されている。このため、本体部４０においては、粒状体３４と底面部４２との間に仕切部材を設ける必要がない。これにより、本体部４０ひいてはトイレ２の構造が複雑化するのを回避することができる。
【００６５】
トイレ２には、尿溜容器６０が設けられている。これにより、開口部４６を通じて本体部４０の外に排出された尿を容易に処理することができる。
【００６６】
尿溜容器６０は、開口部４６が設けられた側面部４４に略隙間なく接した状態で設置される。これにより、本体部４０と尿溜容器６０との間に尿を移送するための手段を設けることなく、開口部４６から排出された尿を尿溜容器６０内に直接導くことができる。
【００６７】
側面部６４には、開口部６６が設けられている。これにより、簡易な構成で、開口部４６から排出された尿を尿溜容器６０内に導くことができる。すなわち、開口部４６から排出された尿は、開口部４６と連続する開口部６６を通じて、尿溜容器６０内に流入することになる。また、側面部６４から尿を尿溜容器６０内に取り込めるようになるため、側面部６４の高さを大きくすることができる。側面部６４の高さを大きくすることは、尿溜容器６０の容積を大きくし、より多量の尿を溜められるようになる点で有利である。
【００６８】
開口部６６の底面は、尿溜容器６０の内側に向かって下方に傾斜している。これにより、開口部４６から排出された尿を開口部６６を通じて尿溜容器６０内に、よりスムーズに流入させることができる。
【００６９】
側面部６４の上端は、尿溜容器６０がトイレ２に設置された状態で、開口部４６の上端よりも高い位置にある。これにより、尿溜容器６０内に溜った尿から発生した臭気が開口部４６を通じて本体部４０内に流れ込むのを抑制することができる。
【００７０】
尿溜容器６０は、底面部６２及び側面部６４で囲まれた空間を上方から覆う蓋部６８を有している。これにより、尿溜容器６０内に溜った尿から発生した臭気が、尿溜容器６０の上部から外に漏れるのを防ぐことができる。
【００７１】
尿溜容器６０は、本体部４０に対して着脱可能である。これにより、尿溜容器６０に溜った尿の処分や、本体部４０及び尿溜容器６０の清掃が容易になる。すなわち、本体部４０から尿溜容器６０を取り外すことにより、尿の処分や清掃を行いやすくなる。
【００７２】
尿溜容器６０には、把手６９が設けられている。これにより、本体部４０に対する尿溜容器６０の着脱が容易になる。
【００７３】
尿溜容器６０に溜った尿が開口部６６を通じて尿溜容器６０の外に漏れるのを防ぐには、開口部４６（及び開口部６６）の位置が高い方が有利である。かかる観点から、開口部４６の下端の高さｈ１（図５参照）は、３０ｍｍ以上であることが好ましい。
【００７４】
トイレ２の使用時、尿溜容器６０内には、尿を吸収する吸水材７０が配設される。これにより、かかる吸水材７０が設けられていない場合に比して、尿が尿溜容器６０の外に漏れにくくなる。
【００７５】
吸水材７０が植物性材料の粉砕物と吸水性ポリマーとの混合物からなる場合、植物性材料の消臭効果により尿の悪臭を緩和することができる。また、吸水性ポリマーの吸水力により、多量の尿を吸収することができる。
【００７６】
植物性材料として茶類又はコーヒー類を用いた場合、特に優れた消臭効果を得ることができる。また、茶殻やコーヒー滓のような廃棄物を用いた場合、廃棄物を有効活用することができる。
【００７７】
尿溜容器６０には、収容袋８０が設けられている。これにより、尿を吸収した吸水材７０をまとめて収容袋８０ごと尿溜容器６０から取り出すことができる。したがって、尿溜容器６０に溜った尿の処分が一層容易になる。
【００７８】
収容袋８０には、吸水材７０を通過させずに尿を通過させる穴部８２が設けられている。これにより、吸水材７０が収容袋８０の外にこぼれるのを防ぎつつ、開口部６６を通過した尿を収容袋８０内に導くことができる。
【００７９】
収容袋８０の少なくとも一部分が網状をしており、当該部分の網目が穴部８２を構成している。これにより、簡易な構成で、穴部８２を有する収容袋８０を実現することができる。
【００８０】
本発明は、上記実施形態に限定されるものではなく、様々な変形が可能である。上記実施形態においては、２つの遮蔽部材が設けられた例を示した。しかし、遮蔽部材は１つだけ設けられてもよい。例えば、第１実施形態の場合であれば遮蔽部材２２又は遮蔽部材２４の何れか一方のみが設けられてもよく、第２実施形態の場合であれば遮蔽部材５２又は遮蔽部材５４の何れか一方のみが設けられてもよい。また、３つ以上の遮蔽部材が設けられてもよい。
【００８１】
上記実施形態においては、遮蔽部材２２の一部が屈曲した例を示した。しかし、遮蔽部材２２の一部を屈曲させることは必須でない。すなわち、遮蔽部材２２は、図１８に示すように、根元から先端まで同一平面上にあってもよい。遮蔽部材２４，５２，５４についても同様である。
【００８２】
上記実施形態においては、遮蔽部材２２が傾斜した例を示した。しかし、遮蔽部材２２を傾斜させることは必須でない。すなわち、遮蔽部材２２は、図１９に示すように、水平に張り出していてもよい。遮蔽部材２４，５２，５４についても同様である。
【００８３】
上記実施形態においては、本体部に仕切部材が設けられていない例を示した。しかし、本体部には、仕切部材が設けられていてもよい。かかる仕切部材上には、尿を透過させる粒状体が敷設される。また、仕切部材には、尿を通過させるが、上記粒状体を通過させない孔部が形成されている。この場合、遮蔽部材は、仕切部材の上方の空間もしくは下方の空間の何れか一方又は双方に配設される。
【符号の説明】
【００８４】
１  トイレ
２  トイレ
１０  本体部
１２  底面部（第１の底面部）
１４  側面部（第１の側面部）
２２  遮蔽部材（第１の遮蔽部材）
２４  遮蔽部材（第２の遮蔽部材）
３２  粒状体
３４  粒状体
４０  本体部
４２  底面部（第１の底面部）
４２ａ，４２ｂ，４２ｃ  平面
４４  側面部（第１の側面部）
４４ａ  突条
４６  開口部（第１の開口部）
５２  遮蔽部材（第１の遮蔽部材）
５４  遮蔽部材（第２の遮蔽部材）
６０  尿溜容器
６２  底面部（第２の底面部）
６４  側面部（第２の側面部）
６４ａ  溝
６６  開口部（第２の開口部）
６８  蓋部
６９  把手
７０  吸水材
８０  収容袋
８２  穴部
【図１】
2017149645.tif 000003
【図２】
2017149645.tif 000004
【図３】
2017149645.tif 000005
【図４】
2017149645.tif 000006
【図５】
2017149645.tif 000007
【図６】
2017149645.tif 000008
【図７】
2017149645.tif 000009
【図８】
2017149645.tif 000010
【図９】
2017149645.tif 000011
【図１０】
2017149645.tif 000012
【図１１】
2017149645.tif 000013
【図１２】
2017149645.tif 000014
【図１３】
2017149645.tif 000015
【図１４】
2017149645.tif 000016
【図１５】
2017149645.tif 000017
【図１６】
2017149645.tif 000018
【図１７】
2017149645.tif 000019
【図１８】
2017149645.tif 000020
【図１９】
2017149645.tif 000021
【国際調査報告】
2017149645.tif 000022
2017149645.tif 000023
2017149645.tif 000024
2017149645.tif 000025